(57)【要約】【課題】  簡単な構成で低消費電力駆動の負荷変調通信回路の提供する。【解決手段】  無線により外部と情報の送受信を行う負荷変調通信回路であって、外部より電力を取得するとともに外部と情報の送受信を行うための２次コイルを備える送受信手段と、送受信手段に設けられた中間タップと、一端を中間タップに負荷抵抗を介して接続され他端を略接地されたスイッチ手段と、送受信手段の両端又は送受信手段の一端と中間タップに接続され情報の通信や制御を行うとともに，スイッチ手段と接続され，スイッチ手段の制御を行う駆動回路とを備え、スイッチ手段がオン状態のときは、駆動回路が中間タップを負荷抵抗を介して略接地に接地し送受信手段の負荷抵抗を変調して、送受信手段から外部へと情報を送信し、スイッチ手段がオフ状態のときは、送受信手段が外部からの情報を受信していることを特徴とする。【選択図】      図３
2007208935.tif 000002
【特許請求の範囲】
【請求項１】
無線により外部と情報の送受信を行う負荷変調通信回路であって、
外部より電力を取得するとともに外部と情報の送受信を行うための２次コイルを備える送受信手段と、該送受信手段に設けられた中間タップと、一端を前記中間タップに負荷抵抗を介して接続され，他端を略接地されたスイッチ手段と、前記送受信手段の両端又は前記送受信手段の一端と前記中間タップに接続され，情報の通信や制御を行うとともに，前記スイッチ手段と接続され，前記スイッチ手段の制御を行う駆動回路と、を備え、
前記スイッチ手段がオン状態のときは、前記駆動回路が前記中間タップを、前記負荷抵抗を介して略接地に接地し前記送受信手段の負荷抵抗を変調して、前記送受信手段から前記外部へと情報を送信し、前記スイッチ手段がオフ状態のときは、前記送受信手段が前記外部からの情報を受信していることを特徴とする負荷変調通信回路。
【請求項２】
請求項１の負荷変調通信回路において、前記中間タップは前記送受信手段の中間に接続されることを特徴とする負荷変調通信回路。
【請求項３】
請求項１の負荷変調通信回路において、前記スイッチ手段は電界効果トランジスタ（ＦＥＴ）であることを特徴とする負荷変調通信回路。
【請求項４】
外部からの情報を受信するとともに負荷変調通信回路を用いて外部に向けて所定の情報を送信するための送受信手段と、網膜を構成する細胞に対して刺激パルス信号を出力するための複数の電極と、前記送受信手段にて受信された前記情報を電気刺激パルス信号に変換し前記複数の電極から電気刺激パルス信号を出力するための制御手段と、を備える視覚再生補助装置において、
前記負荷変調通信回路は、２次コイルと、該２次コイルに設けられた中間タップと、一端を前記中間タップに負荷抵抗を介して接続され，他端を略接地されたスイッチ手段と、前記２次コイルの両端又は前記２次コイルの一端と前記中間タップに接続され，情報の通信や制御を行うとともに，前記スイッチ手段と接続され，前記スイッチ手段の制御を行う駆動回路と、を備え、
前記スイッチ手段がオン状態のときは、前記駆動回路が前記中間タップを、前記負荷抵抗を介して略接地に接地し前記２次コイルの負荷抵抗を変調して、前記２次コイルから前記外部へと情報を送信し、前記スイッチ手段がオフ状態のときは、前記２次コイルが前記外部からの情報を受信していることを特徴とする視覚再生補助装置。
【発明の詳細な説明】
【技術分野】
【０００１】
本発明は非接触で電力や情報のやりとりを行うＲＦＩＤ技術で用いられる負荷変調通信回路及び患者の視覚を再生するための視覚再生補助装置に関する。
【背景技術】
【０００２】
近年、ＲＦＩＤ（Radio Frequency Identification）技術を用いて、非接触状態で、受信装置、送信装置の間で、情報や電力をやり取りするものが知られている。（例えば、特許文献１参照）。このような装置は、無線ＩＣタグとも呼ばれ、応用範囲が広い。
【０００３】
また、近年、失明治療方法の一つとして、電極を有する装置を眼内等に埋植し、視覚を形成する細胞に対して電極から刺激パルスを出力して刺激することにより、失われた視覚機能の一部を代行させる視覚再生補助装置の研究がされている。このような視覚再生補助装置は、体内に設置する体内装置を有し、この体内装置には網膜を構成する細胞を電気刺激するための電極と、それを制御する集積回路からなる制御部が設けられており、２次コイルを用いて必要な電力を得たり、外部と情報を送受信することが可能な装置が知られている（特許文献２参照）。
【特許文献１】特開２０００−１３７７７９号公報
【特許文献２】特開２００４−２９８２９８号公報
【発明の開示】
【発明が解決しようとする課題】
【０００４】
このような無線ＩＣタグの装置では、送信側（装置本体）と受信側（ＩＣタグ側）が相互に通信することで、適正に情報がやりとりされているかを確認したり、コイルを介しての電力伝送が行われている。また、このような無線ＩＣタグ技術の応用範囲の拡大にともなって、受信側の低消費電力化、コンパクト化が望まれている。特に、受信側に広く用いられる負荷変調通信回路での低消費電力化、コンパクト化が望まれている。
【０００５】
また、特許文献２に示すような視覚再生補助装置では、上述した技術を用いて外部から電力を供給することができるものの、供給された電力を体内装置側にて、できるだけ損失を少なくし、効率よく消費することが望まれている。また、このような体内装置は患者の体内という限られたスペースに埋植されるため、できるだけ小さく簡単な構成であることが好ましい。
【０００６】
上記従来技術の問題点に鑑み、簡単な構成で低消費電力駆動の負荷変調通信回路の提供、さらにはこのような負荷変調通信回路を有した視覚再生補助装置を提供することを技術課題とする。
【課題を解決するための手段】
【０００７】
上記課題を解決するために、本発明は以下のような構成を備えることを特徴とする。
（１）  無線により外部と情報の送受信を行う負荷変調通信回路であって、外部より電力を取得するとともに外部と情報の送受信を行うための２次コイルを備える送受信手段と、該送受信手段に設けられた中間タップと、一端を前記中間タップに負荷抵抗を介して接続され，他端を略接地されたスイッチ手段と、前記送受信手段の両端又は前記送受信手段の一端と前記中間タップに接続され，情報の通信や制御を行うとともに，前記スイッチ手段と接続され，前記スイッチ手段の制御を行う駆動回路と、を備え、前記スイッチ手段がオン状態のときは、前記駆動回路が前記中間タップを前記負荷抵抗を介して略接地に接地し前記送受信手段の負荷抵抗を変調して、前記送受信手段から前記外部へと情報を送信し、前記スイッチ手段がオフ状態のときは、前記送受信手段が前記外部からの情報を受信していることを特徴とする。
（２）  （１）の負荷変調通信回路において、前記中間タップは前記送受信手段の中間に接続されることを特徴とする。
（３）  （１）の負荷変調通信回路において、前記スイッチ手段は電界効果トランジスタ（ＦＥＴ）であることを特徴とする。
（４）  外部からの情報を受信するとともに負荷変調通信回路を用いて外部に向けて所定の情報を送信するための送受信手段と、網膜を構成する細胞に対して刺激パルス信号を出力するための複数の電極と、前記送受信手段にて受信された前記情報を電気刺激パルス信号に変換し前記複数の電極から電気刺激パルス信号を出力するための制御手段と、を備える視覚再生補助装置において、前記負荷変調通信回路は、２次コイルと、該２次コイルに設けられた中間タップと、一端を前記中間タップに負荷抵抗を介して接続され，他端を略接地されたスイッチ手段と、前記２次コイルの両端又は前記２次コイルの一端と前記中間タップに接続され，情報の通信や制御を行うとともに，前記スイッチ手段と接続され，前記スイッチ手段の制御を行う駆動回路と、を備え、前記スイッチ手段がオン状態のときは、前記駆動回路が前記中間タップを前記負荷抵抗を介して略接地に接地し前記２次コイルの負荷抵抗を変調して、前記２次コイルから前記外部へと情報を送信し、前記スイッチ手段がオフ状態のときは、前記２次コイルが前記外部からの情報を受信していることを特徴とする。
【発明の効果】
【０００８】
本発明によれば、回路構成を簡素化することができ、電力損失を抑制することができる。
【発明を実施するための最良の形態】
【０００９】
本発明の実施の形態を図面を用いて説明する。なお、本発明の負荷変調通信回路を用いる一つの実施形態として、視覚再生補助装置を例に挙げ、以下に説明する。図１は視覚再生補助装置の外観を示した概略図、図２は実施の形態で使用する視覚再生補助装置における体内装置を示す図、図３は本実施形態の負荷変調通信回路の回路構成図、図４は制御系のブロック図である。
【００１０】
１は視覚再生補助装置であり、図１及び図２に示すように、外界を撮影するための体外装置１０と網膜を構成する細胞に電気刺激を与え、視覚の再生を促す体内装置２０とからなる。体外装置１０は、患者が掛けるバイザー１１と、バイザー１１に取り付けられるＣＣＤカメラ等からなる撮影装置１２と、外部デバイス１３、送信手段（送受信手段）である１次コイル１４等にて構成されている。
【００１１】
外部デバイス１３には、ＣＰＵ等の演算処理回路を有するデータ変調手段１３ａ、視覚再生補助装置１（体外装置１０及び体内装置２０）の電力供給を行うためのバッテリー１３ｂが設けられている。データ変調手段１３ａは、撮影装置１２にて撮影した被写体像を画像処理し、さらに得られた画像処理後のデータを、視覚を再生するための電気刺激パルス用データに変換する処理を行う。１次コイル１４は、データ変調手段１３ａにて変換された電気刺激パルス用データ、及び後述する体内装置２０を駆動させるための電力を電磁波として体内装置２０側に伝送（無線送信）することができる。また、１次コイル１４の中心には図示なき磁石が取り付けられている。磁石は後述する送受信手段（２次コイル）３１との位置固定に使用される。
【００１２】
バイザー１１は眼鏡形状を有しており、図１に示すように、患者の眼前に装着して使用することができるようになっている。また、撮影装置１２はバイザー１１の前面に取り付けてあり、患者に視認させる被写体を撮影することができる。
【００１３】
図２に示す体内装置２０は、大別して体外装置１０から送信される電気刺激パルス信号用データや電力を電磁波により受け取るための受信部３０と、網膜を構成する細胞を電気刺激するための刺激部４０により構成される。なお、受信部３０は電力や外部（体外装置１０）からの情報（電気刺激パルス信号用データ等）や電力を受け取る役目を有するとともに、体内装置２０側から体外装置１０側に所定の情報を送信するための送信部としての役目も持つ。受信部３０には、体外装置１０からの電磁波を受信したり、体外装置１０へと体内装置２０の情報を送信したりする送受信手段である２次コイル３１や、制御回路３２や負荷変調通信回路６０を備える制御部１００が設けられている。制御回路３２は、２次コイル３１にて受信された電気刺激パルス用データと電力とを分けるとともに、電気刺激パルス用データを基に、視覚を得るための電気刺激パルス信号と対応する電極を指定する電極指定信号に変換し、刺激部４０へ送信する制御手段としての役割を有している。また、受信部３０には、後述する負荷変調通信回路６０等も作りこまれ、制御回路３２と接続されている。
【００１４】
これら２次コイル３１や制御部１００は、基板３３上に形成されている。なお、受信部３０には１次コイル１４を位置固定させるための図示なき磁石が設けられている。また、３４は不関電極である。
【００１５】
また、刺激部４０には、電気刺激パルス信号を出力する電極４１、刺激制御回路４２が作りこまれた刺激制御部２００が設けられている。各電極４１は、刺激制御部２００に接続されている。刺激制御部２００は、制御部１００から送られてきた電極指定信号に基づいて、対応する電気刺激パルス信号を電極４１の各々へ振り分ける制御手段としての役目を果たす。電極４１には生体適合性が高い貴金属、例えば金や白金が用いられる。電極４１は基板４３上に形成され、刺激制御回路４２は基板４３にフリップチップ実装されている。基板４３は、折り曲げ可能な材料を長板状に加工したものをベース部としている。この基板４３上に電極４１が配置され、さらにリード線４３ａにて刺激制御回路４２、と電気的に接続されている。これら、制御回路３２、刺激制御回路４２で制御手段が構成される。
【００１６】
また、受信部３０と刺激部４０とは複数のワイヤー５０によって電気的に接続されている。また、複数のワイヤー５０は、取り扱いが容易となるように、チューブ５１によって一つに束ねられている。なお、各ワイヤー５０は接続部分を除いて絶縁被膜が施されている。また、図示は略すが、このような体内装置２０は、電極４１と不関電極３４の先端以外の構成部分の全てに生体適合性の高いコーティング層が形成されている。
【００１７】
次に、受信部３０の制御部１００の構成について説明する。図３は、制御部１００の回路構成を模式的に示したもので、負荷変調通信回路６０を主に示した図である。２次コイル３１に、１次コイル１４が対向することで、電磁誘導の原理により電力伝送や情報等の授受を実現する。６２は抵抗、６３は可変コンデンサである。コンデンサ６３と２次コイル３１が共振回路を形成することで、受信部３０は特定の周期の信号を抽出する。コンデンサ６３が可変であるため、共振周波数を調整することができる構成となっている。
【００１８】
６４、６５、６６、６７はダイオードであり、既知の整流回路（ダイオードブリッジ）を構成するように接続されている。これら４つのダイオードで交流電圧を直流電圧に変換する。６８はコンデンサであり、整流された直流電圧を蓄放電する。これら、ダイオード６４〜６７、コンデンサ６８で整流手段（整流回路）を構成している。ここで示した整流回路は全波整流を行う。なお、図３では、ダイオード４つで、ダイオードブリッジを形成し、コンデンサを組み合せて整流手段としたが、これに限るものではない。ＭＯＳＦＥＴ（Metal Oxide Semiconductor Field Effect Transistor）を用いてもよい。
【００１９】
６９、７０は抵抗であり、後述する中間タップの電位を、出力ライン（電源出力端子７１）の電位と、接地電位（略グランドの電位レベルを指す、以下ＧＮＤレベルと略す）との中間程度にする役割を担っている。このため、抵抗６９、７０は同程度の抵抗値で配置される。ここで述べた接地（ＧＮＤ）は体内装置２０の回路のＧＮＤであり患者の体内電位とは異なる。
【００２０】
７１、７２は電源出力端子であり、電源出力端子７１はプラス、電源出力端子７２はＧＮＤレベルとなる。電源出力端子７１、７２からは、直流電圧が出力される。電源出力端子７１、７２は刺激制御回路４２へと接続される。７３は中間タップであり、２次コイル３１のほぼ中央位置、つまり、２次コイル３１の総巻き数の約半分の巻き数の位置に接続されている。７４は負荷抵抗であり、７５はＦＥＴ（電界効果トランジスタ、Field Effect Transistor）である。ＦＥＴ７５のソース端子はグランド（ＧＮＤ）に接続され、ドレイン端子は抵抗７４に接続され、ゲート端子は制御回路３２に接続されている。ＦＥＴ７５は制御回路３２に駆動制御され、オン、オフのスイッチングをされる。
【００２１】
８１はダイオードであり、アノード端子が中間タップ７３に接続される。８２はコンデンサであり、コンデンサ８２の一端がダイオード８１のカソード端子と接続され、他端がＧＮＤに接続される。８３、８４は電源出力端子であり、制御回路３２へと接続される。電源出力端子８３はプラス、電源出力端子８４はＧＮＤレベルとなる。ダイオード８１で整流し、コンデンサ８２に電荷を蓄積することで、制御回路３２で利用する直流電圧（電流）を得ている。ダイオード８１とコンデンサ８２で半波の整流手段（整流回路）を構成している。
【００２２】
図３で示す負荷変調通信回路６０において、ＦＥＴ７５は制御回路３２の制御信号に基づいて駆動するスイッチ手段となる。ここで、スイッチングの説明をする。ＦＥＴ７５は制御信号により、ゲート電圧を制御され、ゲートがＯＮ状態になると、抵抗７４の一端の電位がＧＮＤレベルまで落ちる。このようになると、中間タップ７３から負荷抵抗７４へと電流が流れる経路が形成される。また、逆に、ゲートがＯＦＦ状態になると、ＦＥＴ７５のドレイン・ソース間は導通しない。ＧＮＤと中間タップ７３の間の電圧は一定となるため、負荷抵抗７４とＦＥＴ７５の出力容量を通る電流はほとんどない。このため、ゲートがＯＦＦ状態では、ＦＥＴ７５、負荷抵抗７４での電力ロスは少ない。
【００２３】
なお、ＦＥＴ７５で用いられるものはｎ型、ｐ型のＭＯＳＦＥＴのどちらであってもよい。ｎ型であれば、ゲートにプラスの電圧を印加して、スイッチをＯＮ状態とする。一方、ｎ型であれば、ゲートにマイナスの電圧を印加して、スイッチをＯＮ状態とする。
【００２４】
次に、負荷変調通信回路６０の動作を説明する。次コイル３１から情報を送信する場合は、制御回路３２からの指令信号により、ＦＥＴ７５をオン状態とする。ＦＥＴ７５がオン状態になると、中間タップ７３は負荷抵抗７４を介して、ＧＮＤに接続されてこととなる。従って、２次コイル３１にかかる負荷が負荷抵抗７４の分だけ上昇することとなる。このとき２次コイル３１に流れる電流は図３中の矢印ＡかＢの向きとなる。１次コイル１４と２次コイル３１は、電磁結合しているため２次側の負荷が増大すると１次側に影響が伝わり１次コイルの電圧振幅が減少する。１次コイル１４の振幅の変化を外部デバイス１３が検知することで、体内装置２０の動作信号を検知することができる。この一連の動作を、２次コイル３１（側）から１次コイル１４（側）へ情報が送信されたと位置付ける。
【００２５】
このような動作原理に基づき、体外装置１０は、体内装置２０からの情報を取得することができる。体内装置２０から体外装置１０への通信は定期的（例えば、数十ミリ秒から数百ミリ秒毎）に行われる。
【００２６】
なお、このとき、負荷抵抗７４の抵抗値は通信が可能な範囲において電力伝送に支障がない程度に大きな値とする。
【００２７】
このようにして、負荷変調通信回路６０の負荷変調手段を中間タップ７３、負荷抵抗７４、ＦＥＴ７５で構成したことで、簡単な構成で負荷変調通信回路６０を作製することができる。また、ＦＥＴがＯＦＦの時、中間タップには中間電位に安定していて高周波の電圧は現れないためＦＥＴの出力容量が存在していてもＲ７４には電流が流れることはなく電力の損失は無視できるようになる。
【００２８】
次に、２次コイル３１にて１次コイル側からの電磁波を電力として受け取る場合の回路動作について説明する。このとき、ＦＥＴ７５は制御回路３２の指令信号により、ＯＦＦ状態となっている。２次コイル３１は、外部デバイス１３が生成した情報や電力を１次コイル１４から受け取る。２次コイル３１では、１次コイル１４の磁場の変化に応じた交流電流（電圧）変化が起こる。２次コイル３１で取得された電力は交流である。交流電流（電圧）はダイオード６４〜６７及びコンデンサ６８で構成される整流回路によって、整流平滑化され、電源出力端子７１、７２より刺激制御回路４２へ電源を供給する。
【００２９】
次に、中間タップ７３を利用した電力取得について説明する。中間タップには中間の電位が発生するためこれをダイオード８１とコンデンサ８２で（半波）整流すると１／２の電圧が電源出力端子８３、８４から得られ制御回路３２へと送られる。
【００３０】
このようにして、制御回路３２と刺激制御回路４２では、供給される電源電圧が異なる。これは、制御回路３２と刺激制御回路４２とでは必要とする電圧が異なるためである。本実施形態では、制御回路３２は３．３Ｖで駆動する半導体回路を用いている。一方、刺激制御回路４２は網膜を刺激するため高い電圧を必要とする。本実施形態では、刺激制御回路４２は１０Ｖの電圧を利用する構成としている。本実施形態では、刺激制御回路４２には１０Ｖの電圧が、制御回路３２には５Ｖの電圧が供給される。制御回路３２では、５Ｖの電圧を電圧降下させて、３．３Ｖ駆動の制御回路に利用している。
【００３１】
このようにして、体内装置２０のそれぞれの構成要素に適した電力（電圧）を供給できるため、体内装置２０での電力ロスが低減でき、電力の利用効率が上昇させることができる。
【００３２】
このような構成を備える体内装置２０は、患者の体内の所定位置に設置される。図５は患者眼Ｅに刺激部４０を設置した一例を示す図である。図示するように、基板４３上に形成される電極４１を脈絡膜Ｅ２に接触させた状態で、基板４３の一部は、強膜Ｅ３と脈絡膜Ｅ２との間に設置される。また、基板４３の刺激制御部２００部分は、強膜Ｅ３の外側に置かれる。この基板４３の設置は、強膜Ｅ３の一部を切開して強膜ポケットを形成させておき、この強膜ポケット内（脈絡膜Ｅ２の外側）に基板４３の電極部分を挿入し設置後、縫合等により基板４３を固定することにより行われる。
【００３３】
なお、不関電極３４は図示するように眼内中央の前眼部よりの位置に置かれる。これによって、網膜Ｅ１は電極４１と不関電極３４（対向電極）との間に位置することとなる。よって、電極４１からの電気刺激パルス信号が効率的に網膜を通ることとなる。
【００３４】
一方、２次コイル３１は、体外装置１０に設けられた１次コイル１４からの信号（電気刺激パルス用データ信号及び電力）を受信可能な生体内の所定位置に設置される。例えば、図１に示すように、患者の側頭部の皮膚の下に受信部３０（図では２次コイル３１のみ示している）を埋め込むとともに、皮膚を介して受信部３０と対向する位置に１次コイル１４とを設置しておく。受信部３０には、１次コイル１４と同様に磁石が取り付けられているため、埋植された受信部３０上に１次コイル１４を位置させることにより、磁力によって１次コイル１４と受信部３０とがくっつき合い、１次コイル１４が側頭部に保持されることとなる。
【００３５】
なお、ワイヤー５０を束ねるチューブ５１は、側頭部に埋め込まれた受信部３０から側頭部に沿って皮膚下を患者眼に向かって延び、患者の上まぶたの内側を通して眼窩に入れられる。眼窩に入れられたチューブ５１は、図５に示すように強膜Ｅ３の外側を通り、基板４３に設置された刺激制御回路４２に接続される。
【００３６】
なお、本実施形態では、体内装置２０（刺激部４０）の設置位置を強膜Ｅ３側に位置させて、強膜側（脈絡膜側）から網膜Ｅ１を構成する細胞を電気刺激する構成としたが、これに限るものではない。患者眼の網膜を構成する細胞を好適に刺激することが可能な位置に電極を設置することができればよい。例えば、体内装置を患者眼の眼内（網膜上や網膜下）に置き、電極が形成されている基板先端部分を網膜下（網膜と脈絡膜との間）や網膜上に設置させるような構成とすることもできる。
【００３７】
以上のような構成を備える視覚再生補助装置において、その動作を図４に示す制御系のブロック図を基に説明する。図４では、簡便のためコーティング層は図示していないが、電極部分を除いた体内装置２０はコーティングされている。図１に示す撮影装置１２により撮影された被写体の撮影データ（画像データ）は、データ変調手段１３ａに送られる。データ変調手段１３ａは、撮影した被写体を患者が認識するために必要となる所定データパラメータ（電気刺激パルス用データ）に変換し、電力伝送用の電磁波を振幅変調することによって体内装置２０側に電力とともに送信する。
【００３８】
体内装置２０側では、体外装置１０より送られてくる変調信号と電力とを２次コイル３１にて受け取り、刺激制御回路４２に送る。また、２次コイル３１の中間タップ７３より変調信号と電力を制御回路３２に送る。制御回路３２では変調信号に基づいて電気刺激パルス信号の強度と電極指定信号とを形成する。刺激制御回路４２では受け取った電極指定信号等に基づいて前述した方法により、各電極４１から双極性の電気刺激パルス信号を同時に或いは個別に出力させる。複数の電極４１から電気刺激パルス信号を同時に出力する場合には、視覚の再生を妨げない程度の同時出力にて行う。各電極４１から出力する電気刺激パルス信号によって網膜を構成する細胞が電気刺激され、患者は視覚（光覚）を得る。
【００３９】
以上のような、網膜を構成する細胞を刺激する一連の動作の途中や合間に、制御部１００（制御回路３２）は体内装置２０が正常に作動している信号を体外装置１０へと送る。制御回路３２はＦＥＴ７５のスイッチをＯＮにすることで２次コイル３１にかかる負荷を変調させる。それにより、１次コイル１４からみた２次コイル３１の負荷抵抗が増し、体外装置１０（体外デバイス１３）では送信信号の振幅低下（２次コイル３１の負荷上昇）として検知される。これにより、２次コイル３１側から１次コイル１４側、つまり、体内装置２０から体外装置１０へと動作状況が送られたこととなる。体内装置２０から定期的に動作状況を体外装置１０へと送っているため、体外装置１０が規定の時間が経っても、体内装置２０の動作状況を取得できない場合は、体内装置２０若しくは体外装置１０に不具合があるとして、図示なきブザーやライト等で患者や周辺の人に知らせる。
【００４０】
また、本実施形態では、負荷変調通信回路６０に接続する駆動回路として、制御回路３２と刺激制御回路４２が接続される構成としたが、このような構成に限るものではない。制御回路３２と刺激制御回路４２が一体となった駆動回路として、負荷変調通信回路６０に接続される構成であってもよい。
【００４１】
なお、外部装置１０からの情報の受信は、ＦＥＴ７５がオフのときのみ行われてもよいいし、ＦＥＴ７５がオン、オフいずれの状態、つまり、常時行われてもよい。また、以上説明した負荷変調通信回路において、中間タップは２次コイルの中間位置に設けるものとしたが、これに限るものではない。２次コイルの全長を４：６や３：７に分割する位置に中間タップを設けてもよい。
【図面の簡単な説明】
【００４２】
【図１】視覚再生補助装置の外観を示した概略図である。
【図２】本実施形態における視覚再生補助装置の体内装置を示した概略図である。
【図３】負荷変調通信回路の模式的回路図である。
【図４】本実施形態における視覚再生補助装置の制御系を示したブロック図である。
【図５】体内装置を体内に設置した状態を示した図である。。
【符号の説明】
【００４３】
１  視覚再生補助装置
１０  体外装置
１４  １次コイル
２０  体内装置
３０  受信部
３１  ２次コイル
３２  制御回路
３４  不関電極
４０  刺激部
４１  電極
４２  刺激制御回路
４３  基板
６０  負荷変調通信回路
７３  中間タップ
７４  負荷抵抗
７５  ＦＥＴ
１００  制御部
２００  刺激制御部
【図１】
2007208935.tif 000003
【図２】
2007208935.tif 000004
【図３】
2007208935.tif 000005
【図４】
2007208935.tif 000006
【図５】
2007208935.tif 000007